(57)【要約】【課題】吸収構造体に有効に力を加えて引き上げることができるパンツ型の使い捨ての着用物品の提供。【解決手段】前後ウエスト域１１，１２、及び股間域１３に区画されるとともに、股間域から前後ウエスト域へ延び出す吸収構造体４１を備え、前後ウエスト域がそれぞれ横方向Ｘに延びる前後ウエスト上端縁１６，１７を有し、吸収構造体が、前後ウエスト域の少なくとも一方の前後ウエスト上端縁を越えて縦方向に延び出す延出部分４４を有するとともに、延出部分の横方向寸法が、前後ウエスト上端縁の横方向寸法より小さいパンツ型の着用物品。【選択図】図２
2015119788.tif 000002
【特許請求の範囲】
【請求項１】
縦方向及び横方向と、着用者の肌に向き合う肌面及びその反対側の非肌面とを有し、前記縦方向に前ウエスト域、後ウエスト域、及び前記前後ウエスト域間に位置する股間域に区画されるとともに、前記股間域から前記前後ウエスト域へ延び出す吸収構造体を備え、前記前ウエスト域及び前記後ウエスト域がそれぞれ前記横方向に延びる前ウエスト上端縁及び後ウエスト上端縁と、前記縦方向に互いに並行して延びる一対の側縁部とを有し、前記前ウエスト域の側縁部と前記後ウエスト域の側縁部とが接合され、前記吸収構造体が、吸収コアと、前記吸収コアの前記肌面を覆う第1シート部材と、前記吸収コアの前記非肌面を覆う第２シート部材とを備えるパンツ型の使い捨て着用物品であって、
前記吸収構造体は、前記前後ウエスト域の少なくとも一方から前記前後ウエスト上端縁を越えて前記縦方向に延び出す延出部分を有し、
前記延出部分の前記横方向寸法が、前記前後ウエスト上端縁の前記横方向寸法より小さいことを特徴とする、前記着用物品。
【請求項２】
前記吸収構造体は、前記前後ウエスト域の両方から前記前後ウエスト上端縁を越えて前記縦方向に延び出す前記延出部分を有する、請求項１に記載の着用物品。
【請求項３】
前記吸収構造体において、前記前ウエスト域から延び出す前記延出部分の縦方向寸法が、前記後ウエスト域から延び出す前記延出部分の縦方向寸法と等しい、請求項２に記載の着用物品。
【請求項４】
前記吸収構造体において、前記前ウエスト域から延び出す前記延出部分の縦方向寸法が、前記後ウエスト域から延び出す前記延出部分の縦方向寸法と異なる、請求項２に記載の着用物品。
【請求項５】
前記吸収構造体の前記延出部分の少なくとも一部に、前記第１シート部材と前記第２シート部材との間に前記吸収コアが配置されていないコア非存在域を有する、請求項１から４のいずれか１項に記載の着用物品。
【請求項６】
前記吸収構造体が前記延出部分と交差して前記縦方向に延びる一対の吸収体側縁を有し、前記延出部分に、前記吸収体側縁のそれぞれに隣接するとともに前記横方向に互いに離間する少なくとも一対の前記コア非存在域が配置される、請求項５に記載の着用物品。
【請求項７】
前記コア非存在域に含まれる前記第１及び第２シート部材どうしが互いに接合される、請求項５または６に記載の着用物品。
【請求項８】
前記第１及び第２シート部材どうしが、前記吸収構造体の前記コア非存在域を前記横方向に延びる接合域において互いに接合される、請求項７に記載の着用物品。
【請求項９】
前記延出部分の前記縦方向寸法が５ｍｍ以上である、請求項１から８のいずれか１項に記載の着用物品。
【請求項１０】
前記延出部分の少なくとも非肌面に不織布が配置される、請求項１から９のいずれか１項に記載の着用物品。
【請求項１１】
前記前後ウエスト域のそれぞれに、前記横方向に伸びるとともに前記縦方向に互いに離間する前ベルト及び後ベルトが含まれ、
前記前後ベルトは前記横方向に延びる前記前後ウエスト上端縁を有し、
前記股間域に前記縦方向に延びる前記吸収構造体が含まれ、前記吸収構造体の前記縦方向両端に位置する前端領域及び後端領域がそれぞれ前記前後ベルトの横方向中央部に接合されるとともに、前記前ベルトの側縁部と前記後ベルトの側縁部とが互いに接合されて前記前後ウエスト上端縁により胴回り開口縁が形成され、
前記吸収構造体は、前記前後ベルトの少なくとも一方から前記前後ウエスト上端縁を越えて前記縦方向に延び出す前記延出部分を有する、請求項１から１０のいずれか１項に記載の着用物品。
【発明の詳細な説明】
【技術分野】
【０００１】
本発明は、パンツ型の使い捨て着用物品に関する。
【背景技術】
【０００２】
従来、使い捨て着用物品は公知である。例えば、特許文献１には、腹側シート部材と、着用者の背側に配される背側シート部材と、それらに架け渡して固定された吸収性本体とを備え、腹側シート部材は、縦方向の長さが背側シート部材の同方向の長さ以上であり、腹側シート部材と背側シート部材とが、腹側シート部材が背側シート部材の上端縁より上方に延出すると共に背側シート部材が腹側シート部材の下端縁より下方に延出するように接合されているパンツ型吸収性物品が開示されている。
【先行技術文献】
【特許文献】
【０００３】
【特許文献１】特開２０１３−１８３９３８号公報
【０００４】
特許文献１によれば、同文献に開示されたパンツ型吸収性物品は、形態による前後の判別が容易であり、また腹側部の上部を手で掴みながらスムーズに装着することができるものである（段落００１１）。
【発明の概要】
【発明が解決しようとする課題】
【０００５】
しかし、特許文献１のパンツ型吸収性物品の場合、腹側のシート部材の上端縁と吸収性本体との間に不織布や弾性部材等の部材が介在するため、腹側部のシート部材の上部を掴んで引き上げたとき、吸収性本体に力が直接加わりにくい。このため、吸収性本体が着用者に適正フィットしないことがあり、未だ改良の余地がある。
【０００６】
以上に鑑み、本発明は、着用時に延出部分を掴んで引き上げる際、吸収構造体に有効に力を加えることができ、吸収構造体を着用者に適正にフィットさせることが可能なパンツ型の使い捨ての着用物品を提供することを課題とする。
【課題を解決するための手段】
【０００７】
本発明は、縦方向及び横方向と、着用者の肌に向き合う肌面及びその反対側の非肌面とを有し、縦方向に前ウエスト域、後ウエスト域、及び前後ウエスト域間に位置する股間域に区画されるとともに、股間域から前後ウエスト域へ延び出す吸収構造体を備え、前ウエスト域及び後ウエスト域がそれぞれ横方向に延びる前ウエスト上端縁及び後ウエスト上端縁と、縦方向に互いに並行して延びる一対の側縁部とを有し、前ウエスト域の側縁部と後ウエスト域の側縁部とが接合され、吸収構造体が、吸収コアと、吸収コアの肌面を覆う第1シート部材と、吸収コアの非肌面を覆う第２シート部材とを備えるパンツ型の使い捨て着用物品に関する。
【０００８】
本発明の着用物品で、吸収構造体は、前後ウエスト域の少なくとも一方から前後ウエスト上端縁を越えて縦方向に延び出す延出部分を有し、延出部分の横方向寸法が、前後ウエスト上端縁の横方向寸法より小さいことを特徴とする。
【発明の効果】
【０００９】
本願発明では、吸収構造体の前端領域と後端領域との少なくとも一方が、前後ウエスト域の少なくとも一方から前後ウエスト上端縁を越えて縦方向に延び出す延出部分を有しているので、着用時に延出部分を掴んで引き上げることにより、延出部分を介して吸収構造体に有効に力を加えることが可能になり、吸収構造体を着用者に適正にフィットさせることができる。詳しくは、パンツ型の使い捨て着用物品では、吸収構造体は着用物品の横方向中央部に位置する。したがって、前後ウエスト上端縁の両脇を掴んで吸収構造体を引き上げようとした場合、前後ウエスト上端縁の両脇と吸収構造体との間には不織布や弾性部材等の部材が介在するため、吸収構造体には、引き上げようとする力が間接的にしか伝わらない。また、前後ウエスト上端縁の両脇を掴んで引き上げる場合、吸収構造体には、斜め上方に引き上げる力が作用する。一方、本発明の延出部分を掴んで引き上げる場合には、吸収構造体にダイレクトに力を加えることができる。さらに、本発明では、吸収構造体に含まれる延出部分の横方向寸法の方が前後ウエスト上端縁の横方向寸法よりも小さいので、吸収構造体には、斜め上方ではなく、むしろ垂直方向に引き上げる力が加わる。したがって、着用時に本発明の延出部分を掴んで引き上げれば、吸収構造体を引き上げる力を延出部分を介して有効に加えることができる。
【図面の簡単な説明】
【００１０】
図面は、本発明の特定の実施の形態を示し、発明の不可欠な構成ばかりでなく、選択的及び好ましい実施の形態を含む。
【図１】第１実施形態に係る使い捨て着用物品の一例のおむつの斜視図。
【図２】おむつの一部破断展開図。
【図３】おむつの分解斜視図。
【図４】第１実施形態のおむつの変形例を表す図。
【図５】おむつの延出部分の断面と、その変形例を表す図。
【図６】第１実施形態のおむつの変形例を表す図。
【図７】第２実施形態に係るおむつの一部破断展開図。
【発明を実施するための形態】
【００１１】
下記の実施の形態は、添付の図面に示すおむつ１に関し、発明の不可欠な構成ばかりではなく、選択的及び好ましい構成を含む。
＜第１実施形態＞
図１に示す本願の着用物品の一例であるパンツ型のおむつ１は、横方向Ｘ及び縦方向Ｙと、着用者の肌に向き合う肌面及びその反対側である非肌面とを有し、前ウエスト域１１と、後ウエスト域１２と、前後ウエスト域１１，１２の間に位置する股間域１３とに区画され、前後ウエスト域１１，１２と股間域１３は、縦方向Ｙに並ぶ。前ウエスト域１１、後ウエスト域１２、及び股間域１３のそれぞれに前ベルト１４、後ベルト１５、及び吸収構造体４１が含まれ、吸収構造体４１は股間域１３から前後ウエスト域１１，１２へ延び出す。また、前ベルト１４の側縁部２０と後ベルト１５の側縁部２１の肌面どうしが、縦方向Ｙに延びる一対のシーム部２９において互いに接合され、前ベルト１４の前ウエスト上端縁１６及び後ベルト１５の後ウエスト上端縁１７により胴回り開口縁２２が形成される。さらに、前後ベルト１４，１５の前後ウエスト上端縁１６，１７のそれぞれから、後述する吸収構造体４１の延出部分４４が前後ウエスト域１１，１２に含まれる前後ベルト１４，１５の前後ウエスト上端縁１６，１７を越えて縦方向Ｙに延び出す。別言すれば、延出部分４４は前後ベルト１４，１５に対し凸状に突き出す。
【００１２】
図２は、図１のパンツ型おむつ１のシーム部２９における前後ベルト１４，１５の接合を解き、平面状に伸展したときのおむつ１の平面図である。図２に示すように、おむつ１の前ベルト１４と後ベルト１５は同形同大の矩形であり、縦方向Ｙに互いに離間して横方向Ｘに伸びる。前ベルト１４と後ベルト１５はそれぞれ、横方向Ｘに互いに並行して延びる前ウエスト上端縁１６及び前ウエスト下端縁１８と、横方向Ｘに互いに並行して延びる後ウエスト上端縁１７及び後ウエスト下端縁１９と、縦方向Ｙに互いに並行して延びる前ベルト１４の一対の側縁部２０及び後ベルト１５の一対の側縁部２１とを有する。吸収構造体４１も矩形であり、縦方向Ｙ両端に位置する前端領域４２及び後端領域４３と、前端領域４２及び後端領域４３に交差して縦方向Ｙに延びる一対の吸収体側縁４５とを有する。吸収構造体４１の前端領域４２及び後端領域４３がそれぞれ前後ベルト１４，１５の横方向中央部に接合される。また、前後ベルト１４，１５の側縁部２０，２１に沿って一対のシーム部２９が縦方向Ｙに延び、この一対のシーム部２９において前後ベルト１４，１５の側縁部２０，２１の肌面どうしが向き合わされて、例えばヒートシール加工、超音波溶着などの公知の熱溶着手段によって接合される。これにより、前後ウエスト上端縁１６，１７によって胴回り開口縁２２が形成されるとともに、吸収構造体４１の一対の吸収体側縁４５と、前後ベルト１４，１５の前後ウエスト下端縁１８，１９とによって一対の脚回り開口縁２３が形成される（図１参照）。
【００１３】
図２，３を参照して、前後ベルト１４，１５は、それぞれ、１枚の前シート材２４及び１枚の後シート材２５をほぼ半分に折り返した中に、胴回り方向Ｘに延びるウエスト弾性部材３０を伸長状態でホットメルト接着剤（図示せず）により接合して形成されている。これに代えて、前後ベルト１４，１５を別々のシート材を貼り合せて形成することもできるし、前後シート材２４，２５を折り返さずにウエスト弾性部材３０を接合することもできる。
【００１４】
前シート材２４及び後シート材２５は、熱可塑性樹脂製の繊維から成り、通気性を有する不織布を用いることが好ましい。熱可塑性樹脂製の繊維から成る不織布の種類は特に限定されないが、例えば、単位面積当り質量が約１０〜３０ｇ／ｍ２のＳＭＳ（スパンボンド・メルトブローン・スパンボンド）不織布、又はスパンボンド不織布、エアスルー不織布を用いることができる。また、ウエスト弾性部材３０には、複数条のストランド状又はストリング状の弾性糸、又は弾性を有する少なくとも１条の帯状の不織布を用いることができる。ウエスト弾性部材３０の種類も特に限定されないが、例えば太さが３１０〜１２４０ｄｔｅｘのゴム紐等の弾性糸を用いることができる。また、ウエスト弾性部材３０を前シート材２４及び後シート材２５に接合する際の伸長倍率に特に制限はないが、例えばウエスト弾性部材３０の伸長倍率を２．０〜４．０倍にすることができる。
【００１５】
吸収構造体４１は、縦方向Ｙ両端に位置する前後端領域４２，４３の非肌面がそれぞれ前ベルト１４及び後ベルト１５の横方向Ｘ中央部の肌面に接合される。また前後端領域４２，４３には、前後ベルト１４，１５の前後ウエスト上端縁１６，１７を越えて縦方向Ｙに延び出す延出部分４４が含まれる。延出部分４４の横方向Ｘにおける寸法は、前後ウエスト上端縁１６，１７の横方向Ｘ寸法より小さい。延出部分４４の横方向Ｘ寸法は、前後ウエスト上端縁１６，１７の横方向Ｘ寸法の５０％以下であることが好ましい。これにより、延出部分４４を掴んで引き上げるとき、吸収構造体４１に主として縦方向Ｙに力を加えることができる。なお、延出部分４４及び前後ウエスト上端縁１６，１７の横方向Ｘ寸法は、前後ベルト１４，１５をウエスト弾性部材３０の収縮に起因する皺がなくなるまで横方向Ｘに伸長させた状態で測定する。また、延出部分４４が前後ウエスト上端縁１６，１７から延び出す長さとは、横方向Ｘに延びる前後ウエスト上端縁１６，１７から、延出部分４４の外周縁において前後ウエスト上端縁１６，１７から最も離間する点までの最短距離を意味する。具体的には、前後ベルト１４，１５を皺がなくなるまで横方向Ｘに伸長させて前後ウエスト上端縁１６，１７をほぼ直線状するとともに、延出部分４４が前後ウエスト上端縁１６，１７から縦方向Ｙに平面状に延び出す状態となるようにおむつ１を伸展し、前後ウエスト上端縁１６，１７に直交する線分に沿って、前後ウエスト上端縁１６，１７から延び出す各延出部分４４の外周縁において最も離間する点までの寸法を測定する。
【００１６】
吸収構造体４１は、吸収コア４６と、吸収コア４６の肌面を覆う第１シート部材と、吸収コア４６の非肌面を覆う第２シート部材とを備える。吸収コア４６は、例えば、フラッフパルプ及び超吸収性ポリマー粒子（ＳＡＰ）等の公知の体液吸収材４７をティッシュペーパ等の公知の透液性シート状部材４８で包むことにより形成することができる。なお、図２，３に示した例では吸収コア４６の形状はほぼ長方形であるが、吸収コア４６の形状はこれに限定されず、例えば砂時計型等の形状等の形状にすることもできる。
【００１７】
吸収コア４６の肌面を覆う第１シート部材には、液透過性と柔軟性を有するシート材を用いることが好ましい。本実施形態では、第１シート部材として不織布から成るトップシート２６を用いている。トップシート２６に用い得る不織布としては、例えば単位面積当たり質量が約１０〜４０ｇ／ｍ２のエアスルー不織布、または単位面積当たり質量が約１０〜３０ｇ／ｍ２のスパンボンド不織布及びＳＭＳが挙げられる。吸収コア４６の肌面を覆うトップシート２６は、縦方向Ｙ寸法が吸収コア４６よりも大きく、吸収コア４６の縦方向Ｙ両外側に延び出して、その一部が延出部分４４に含まれる。すなわち、吸収コア４６の縦方向Ｙ両外側に延び出すトップシート２６の一部は、延出部分４４において吸収コア４６が配置されていないコア非存在域４９に含まれる。
【００１８】
吸収コア４６の非肌面を覆う第２シート部材には、難透液性又は不透液性で、柔軟性を有するシート材を用いることができ、不透液性のプラスチックフィルムと難透液性又は不透液性の不織布とのいずれか一方、または両者の組み合わせを用いることができる。不透液性のプラスチックフィルムとしてポリエチレンフィルムやポリエステルフィルムが例示され、難透液性又は不透液性の不織布として、単位面積当たり質量が１０〜４０ｇ／ｍ２のエアスルー不織布、スパンボンド不織布、ポイントボンド不織布、又はＳＭＳ不織布が例示される。本実施形態では、第２シート部材としてプラスチックフィルム製の防漏シート２７と、不織布製のバックシート２８とを用いている。防漏シート２７は吸収コア４６の非肌面に接合され、バックシート２８は防漏シート２７の非肌面に接合されている。吸収コア４６からの体液の漏出を効果的に防止するためには、プラスチックフィルムを吸収コア４６の非肌面に接合することが好ましい。
【００１９】
防漏シート２７の縦方向Ｙ寸法は吸収コア４６より大きい。したがって、防漏シート２７の一部が吸収コア４６の縦方向Ｙ両外側に延び出し、吸収構造体４１の前後端領域４２，４３に含まれるとともに、延出部分４４の一部を構成する。すなわち、延出部分４４において、防漏シート２７の一部はコア非存在域４９に含まれる。バックシート２８の縦方向Ｙ寸法も吸収コア４６の縦方向Ｙ寸法よりも大きく、また防漏シート２７の縦方向Ｙ寸法とほぼ同じである。吸収コア４６及び防漏シート２７は、バックシート２８の肌面の横方向Ｘ中央部に配置される。バックシート２８の一部は吸収コア４６の縦方向Ｙ両外側に延び出し、吸収構造体４１の前後端領域４２，４３に含まれて延出部分４４の一部を構成し、延出部分４４においてコア非存在域４９に含まれる。ここで、コア非存在域４９とは第１シート部材（すなわちトップシート２６）と第２シート部材（すなわち防漏シート２７及びバックシート２８）との間に吸収コア４６が意図的に配置されていない領域を意味し、第１シート部材と第２シート部材の間に吸収コア４６からこぼれ出た体液吸収材４７が存在する領域は、コア非存在域４９には含まれない。
【００２０】
また、バックシート２８を吸収コア４６の横方向Ｘ両外側に延出させて縦方向Ｙに延びる一対の側方延出部３１を設け、この側方延出部３１に、脚回り開口縁２３からの排泄物の漏出を防止するために、本願発明が属する技術分野で公知の立体ギャザー（図示せず）等の漏れ防止手段を設けることができる。また、側方延出部３１に弾性糸（図示せず）を縦方向に伸長させた状態で接合して、脚回り開口縁２３の着用者の脚に対するフィット性を高めるためのレッグ弾性部材として機能させることもできる。本願発明では、側方延出部３１を設けることは必須ではない。
【００２１】
本実施形態では、縦方向Ｙにおいて、吸収コア４６の縦方向Ｙ両端に位置するコア両端部５１は、前後ウエスト上端縁１６，１７を越えない。すなわち、吸収構造体４１の延出部分４４には吸収コア４６は配置されておらず、延出部分４４全体がコア非存在域４９になっている。コア非存在域４９では、吸収コア４６の肌面を覆うトップシート２６の非肌面と、吸収コア４６の非肌面を覆う防漏シート２７の肌面とが互いに接合され、さらに、コア非存在域４９に含まれるバックシート２８の肌面が、防漏シート２７の非肌面に接合されている（図５（ａ）参照）。コア非存在域４９は厚みが薄いため、おむつ１を引き上げるとき、手で掴みやすい。さらに、コア非存在域４９に含まれるシート材どうしを、ホットメルト接着剤又は熱溶着により互いに接合することにより、コア非存在域４９が平面状に保たれ易くなり、より掴みやすくなる。なお、トップシート２６と防漏シート２７とを接合する際、吸収構造体４１の外周縁に沿ってトップシート２６と防漏シート２７とを互いに接合することもできるし、吸収構造体４１の外周縁から少なくとも１ｍｍの範囲で両者を接合しないこともできる。トップシート２６と防漏シート２７とを吸収構造体４１の外周縁に沿って互いに接合する場合、おむつ１を使用するときに、誤ってトップシート２６と防漏シート２７とが剥離してしまうことを防止できる。また、吸収構造体４１の外周縁から少なくとも１ｍｍの範囲でトップシート２６と防漏シート２７とを接合しない場合には、不織布で形成される吸収構造体４１の外周縁、特に延出部分４４の外周縁がホットメルト接着剤又は熱溶着により硬くなって着用者の肌を刺激することを抑制できる。
【００２２】
また、縦方向Ｙにおいて吸収コア４６の両外側に延び出す防漏シート２７の肌面と、トップシート２６の非肌面とが、延出部分４４に含まれるコア非存在域４９を横方向Ｘに連続的に延びる接合域３２において互いに接合することが好ましい。このように、トップシート２６と防漏シート２７とを接合域３２において互いに接合することにより、吸収コア４６に含まれる体液吸収材４７を吸収構造体４１の中に封入することができる。接合域３２におけるトップシート２６と防漏シート２７との接合は、ホットメルト接着剤又は前述の公知の熱溶着手段を用いて行うことができる。接合域３２は、縦方向Ｙにおいて吸収コア４６の両端に位置するコア両端部５１の外周縁に沿って配置することができる。なお、本実施形態では、トップシート２６と防漏シート２７とを接合する接合域３２は、コア非存在域４９において第１及び第２シート部材どうしを接合する領域に含まれている。
【００２３】
図２，３を参照して、吸収構造体４１は、その前後端領域４２，４３の非肌面が前後ベルト１４，１５の横方向Ｘ中央部の肌面に接合されて、前後ベルト１４，１５に直交する。吸収構造体４１の前端領域４２及び後端領域４３のそれぞれに含まれる延出部分４４は、前後ベルト１４，１５の前後ウエスト上端縁１６，１７を越えて縦方向Ｙに延び出す。したがって、前後ベルト１４，１５をシーム部２９において接合してパンツ型のおむつ１にしたとき、延出部分４４は、前後ウエスト上端縁１６，１７から凸状に突き出す。パンツ型のおむつ１の着用時に、この延出部分４４を掴んで引き上げることにより、吸収構造体４１に有効に力を加えて吸収構造体４１を着用者に適正にフィットさせることができる。
【００２４】
ここで、パンツ型のおむつ１の着用時に、延出部分４４ではなく前後ベルト１４，１５の両脇部を掴んで吸収構造体４１を引き上げることもできる。しかし、前後ベルト１４，１５の両脇部を掴んだ場合、延出部分４４の横方向Ｘにおける寸法が前後ウエスト上端縁１６，１７の横方向Ｘ寸法より小さいので、前後ベルト１４，１５の両脇部の方が、延出部分４４よりも先に引き上げられてしまう。このため、吸収構造体４１を適正な位置まで引き上げて着用者にフィットさせることは難しく、吸収構造体４１の引き上げに過不足が生じることがある。一方、本願発明では延出部分４４から吸収構造体４１に直接力を加えることができるので、吸収構造体４１の引き上げに過不足が生じることがなく、着用者に適正にフィットさせることができる。このように、本願発明は、おむつ１の前後ウエスト域１１，１２と股間域１３とが直交する場合、特に前後ウエスト域１１，１２に含まれる前後ベルト１４，１５と、股間域１３に含まれる吸収構造体４１とが直交するいわゆる３ピース型である場合に、吸収構造体４１を着用者に適正にフィットさせる上で特に優れた効果を発揮する。
【００２５】
吸収構造体４１の延出部分４４は、前後端領域４２，４３のどちらか一方または両方に設けることができる。延出部分４４を前後端領域４２，４３の両方に設ければ、吸収構造体４１の腹側と背側を個別に引き上げ、吸収構造体４１をより適正に着用者にフィットさせることができるので好ましい。延出部分４４の縦方向Ｙ寸法は、延出部分４４を掴みやすくする観点から５ｍｍ以上であることが好ましく、また、上限値に特に制限はないが、実用的観点からは５０ｍｍ以下であることが好ましい。さらに、延出部分４４の縦方向Ｙ寸法は、１０ｍｍ〜４０ｍｍであることがより好ましく、２０ｍｍ〜３０ｍｍであることが更に好ましい。吸収構造体４１の前後端領域４２，４３それぞれの延出部分４４の縦方向Ｙ寸法は同じであっても異なっていてもよい。吸収構造体４１の前後端領域４２，４３の延出部分４４の縦方向Ｙ寸法を等しくすれば、前後ウエスト域１１，１２の形状が同じになるので、おむつ１の製造が容易になる。吸収構造体４１の前後端領域４２，４３の延出部分４４の縦方向Ｙ寸法を異ならせた場合、おむつ１の前後を見分け易くすることができる。
【００２６】
上記の実施形態では、延出部分４４の全部がコア非存在域４９である例について説明したが、吸収コア４６を縦方向Ｙにおいて前後ウエスト上端縁１６，１７のいずれか一方又は両方を越えて延出部分４４まで延在させ、延出部分４４の一部にコア非存在域４９を設けることもできる。この場合、例えば、図４に示すように、吸収コア４６を縦方向Ｙにおいて前後ウエスト上端縁１６，１７を越えて延出部分４４まで延在させ、さらに縦方向Ｙに延びる一対の吸収体側縁４５それぞれに隣接するとともに横方向Ｘに互いに離間する一対のコア非存在域４９を設けることもできる。このように吸収コア４６を縦方向Ｙにおいて前後ウエスト上端縁１６，１７を越えて延出部分４４まで延在させることにより、吸収コア４６により体液を吸収可能な範囲を拡張させることができる。さらに、延出部分４４の中央部に位置する吸収コア４６の横方向Ｘ両側にコア非存在域４９を設けることにより、延出部分４４の両側が掴みやすくなり、吸収構造体４１を引き上げる操作を容易にすることができる。
【００２７】
また、上記の第１実施形態では、縦方向Ｙにおいて延出部分４４の末端までトップシート２６、防漏シート２７、及びバックシート２８が存在する場合を例に説明した（図５（ａ）参照）。この変形例として、図５（ｂ）に示すように、バックシート２８を設けずに、トップシート２６を構成する不織布と、防漏シート２７を構成するプラスチックフィルムだけを用いて吸収構造体４１を形成することもできる。この場合、図６に示すように、トップシート２６を構成する不織布を、吸収コア４６及び防漏シート２７を構成するプラスチックフィルムの肌面に接合して、トップシート２６と防漏シート２７との間に吸収コア４６を封入することができる。このようにバックシート２８を設けない構成にした場合、製造コストを削減することができる。
【００２８】
さらに別の変形例として、図５（ｃ）に示すように、吸収コア４６の非肌面側に防漏シート２７及びバックシート２８を配置するとともに、延出部分４４に防漏シート２７を構成するプラスチックフィルムが含まれない構成にすることもできる。この場合、延出部分４４に存在するトップシート２６とバックシート２８の縦方向Ｙ寸法を同じにして、トップシート２６とバックシート２８の対向面どうしを接合することができる。このように延出部分４４に防漏シート２７を構成するプラスチックフィルムが存在しないことにより、延出部分４４の剛性が、防漏シート２７が存在する場合よりも低くなり、着用者の肌に対する刺激が低減する。
【００２９】
また、図５（ｄ）に示すように、バックシート２８の縦方向Ｙ寸法をトップシート２６より大きくするとともに、トップシート２６から縦方向Ｙに延び出すバックシート２８をトップシート２６に向けて折り曲げて接合してもよい。このようにすれば、トップシート２６を丸く折り曲げた部分が着用者の肌に当り、延出部分４４の縦方向末端部５２における着用者の肌に対する刺激を低減させることができる。また、吸収構造体４１の延出部分４４は、おむつ１を着用者に装着させる人の手に触れる部分なので、表面に不織布を配置して手触りをよくすることが好ましい。例えば、防漏シート２７がプラスチックフィルムのみの場合、延出部分４４に位置する防漏シート２７の非肌面に不織布を接合することが好ましい。
【００３０】
＜第２実施形態＞
図７に、本願の第２実施形態のおむつ１を示す。第２実施形態のおむつ１では、前後ウエスト域１１，１２及び股間域１３に区画される一枚のシャーシ６１に吸収構造体４１が接合されるとともに、吸収構造体４１の前後端領域４２，４３が、前後ウエスト域１１，１２のそれぞれにおいて横方向Ｘに延びる前後ウエスト上端縁１６，１７を越えて縦方向Ｙに延び出す延出部分４４を有する。本実施形態で用いる吸収構造体４１は、吸収コア４６と、吸収コア４６の肌面を覆う第１シート部材であるトップシート２６と、吸収コア４６の非肌面を覆う第２シート部材である防漏シート２７とを備える。本実施形態の吸収コア４６と、トップシート２６及び防漏シート２７は第１実施形態と同一なので、詳しい説明は省略する。
【００３１】
シャーシ６１は、股間域１３の前ウエスト域１１寄りの部分が横方向Ｘに括れた砂時計状の形状を有する。本実施形態のシャーシ６１は、シャーシ６１の外形と同一形状の内面シート６２及び外面シート６３と、内外面シート６２，６３の間に伸長状態で接合される前胴回り弾性部材６４、後胴回り弾性部材６５、及び脚回り弾性部材６６とを備える。前後胴回り弾性部材６４，６５は前後ウエスト域１１，１２のそれぞれにおいて横方向Ｘに延び、脚回り弾性部材６６は後ウエスト域１２の側縁６８から股間域１３に向けて延び出して股間域１３を横方向Ｘに横断する。内外面シート６２，６３はそれぞれ、一枚の不織布または複数枚の不織布の組合せから成り、前後胴回り弾性部材６４，６５及び脚回り弾性部材６６は複数条の弾性糸から成る。
【００３２】
本実施形態のおむつ１は、前ウエスト域１１の側縁６７と、後ウエスト域１２の側縁６８とを重ね合わせて、縦方向Ｙに延びる一対のシーム部２９においてホットメルト接着剤又は熱溶着により互いに接合することにより、パンツ形状となる。おむつ１をパンツ形状にしたとき、実施形態１と同様に、吸収構造体４１の延出部分４４が前後ウエスト域１１，１２の前後ウエスト上端縁１６，１７を越えて縦方向Ｙに凸状に延び出す（図示せず）。
【００３３】
おむつ１の着用時に、この延出部分４４を掴んで引き上げることにより、吸収構造体４１に直接力を加えて吸収構造体４１を着用者に適正にフィットさせることができる。おむつ１の着用時に、延出部分４４ではなく前後ウエスト上端縁１６，１７の両脇を掴んで吸収構造体４１を引き上げることもできる。しかし前後ウエスト上端縁１６，１７の両脇を掴んだ場合、前後ウエスト域１１，１２の前後ウエスト上端縁１６，１７と吸収構造体４１との間に不織布や弾性糸等の部材が介在するため、吸収構造体４１には間接的にしか力を伝えられず、吸収構造体４１を所望の位置まで引き上げられるとは限らない。本願発明では、延出部分４４から吸収構造体４１に直接力を加えることができるので、吸収構造体４１を所望の位置まで容易に引き上げて着用者に適正にフィットさせることができる。
【００３４】
以上、本願発明について説明したが、本願発明は上記の実施形態及びその変形例に限定されず、種々変更して実施することができる。例えば、延出部分４４が吸収コア４６を包む第１及び第２シート部材と一体である場合を例に説明した。これに代えて、吸収コア４６を包む第１及び第２シート部材とは別体のシート材で延出部分４４を形成することもできる。また、バックシート２８と防漏シート２７の縦方向Ｙ寸法が同じである場合を例に説明したが、バックシート２８と防漏シート２７の縦方向Ｙ寸法は異なっていてもよい。さらに、吸収構造体４１の形状は矩形に限定されず、例えば延出部分４４が丸みを帯びた形状になるよう、小判形にすることもできる。
【００３５】
上記の各実施形態では、特に断りの無い限り接合はホットメルト接着剤により行っているが、ヒートシール、超音波溶着等の熱溶着により接合することもできる。おむつ１を構成する各構成部材には、本願の明細書に開示されている材料のほかに、本願発明の属する技術分野において通常用いられている各種の公知の材料を制限なく用いることができる。本願の明細書及び特許請求の範囲において、用語「第１」及び「第２」は、同様の要素、位置等を単に区別するために用いられている。
【００３６】
以上に記載した本発明の着用物品に関する開示は、少なくとも下記の事項に整理することができる。
縦方向及び横方向と、着用者の肌に向き合う肌面及びその反対側の非肌面とを有し、縦方向に前ウエスト域、後ウエスト域、及び前後ウエスト域間に位置する股間域に区画されるとともに、股間域から前後ウエスト域へ延び出す吸収構造体を備え、前ウエスト域及び後ウエスト域がそれぞれ横方向に延びる前ウエスト上端縁及び後ウエスト上端縁と、縦方向に互いに並行して延びる一対の側縁部とを有し、前ウエスト域の側縁部と後ウエスト域の側縁部とが接合され、吸収構造体が、吸収コアと、吸収コアの肌面を覆う第1シート部材と、吸収コアの非肌面を覆う第２シート部材とを備えるパンツ型の使い捨て着用物品であって、吸収構造体は、前後ウエスト域の少なくとも一方から前後ウエスト上端縁を越えて縦方向に延び出す延出部分を有し、延出部分の横方向寸法が、前後ウエスト上端縁の横方向寸法より小さいことを特徴とする、着用物品。
【００３７】
上記段落００３６に開示した着用物品に関する本発明は、少なくとも下記の実施の形態を含むことができる。該実施の形態は、分離して又は互いに組み合わせて採択することができる。
（１）吸収構造体は、前後ウエスト域の両方から前後ウエスト上端縁を越えて縦方向に延び出す延出部分を有する。
（２）吸収構造体において、前ウエスト域から延び出す延出部分の縦方向寸法が、後ウエスト域から延び出す延出部分の縦方向寸法と等しい。
（３）吸収構造体において、前ウエスト域から延び出す延出部分の縦方向寸法が、後ウエスト域から延び出す延出部分の縦方向寸法と異なる。
（４）吸収構造体の延出部分の少なくとも一部に、第１シート部材と第２シート部材との間に吸収コアが配置されていないコア非存在域を有する。
（５）吸収構造体が延出部分と交差して縦方向に延びる一対の吸収体側縁を有し、延出部分に、吸収体側縁のそれぞれに隣接するとともに横方向に互いに離間する少なくとも一対のコア非存在域が配置される。
（６）コア非存在域に含まれる第１及び第２シート部材どうしが互いに接合される。
（７）第１及び第２シート部材どうしが、吸収構造体のコア非存在域を横方向に延びる接合域において互いに接合される。
（８）延出部分の縦方向寸法が５ｍｍ以上である。
（９）延出部分の少なくとも非肌面に不織布が配置される。
（１０）前後ウエスト域のそれぞれに、横方向に伸びるとともに縦方向に互いに離間する前ベルト及び後ベルトが含まれ、前後ベルトは横方向に延びる前後ウエスト上端縁を有し、股間域に縦方向に延びる吸収構造体が含まれ、吸収構造体の縦方向両端に位置する前端領域及び後端領域がそれぞれ前後ベルトの横方向中央部に接合されるとともに、前ベルトの側縁部と後ベルトの側縁部とが互いに接合されて前後ウエスト上端縁により胴回り開口縁が形成され、吸収構造体は、前後ベルトの少なくとも一方から前後ウエスト上端縁を越えて縦方向に延び出す延出部分を有する。
【符号の説明】
【００３８】
１    おむつ（使い捨て着用物品）
１１  前ウエスト域
１２  後ウエスト域
１３  股間域
１４  前ベルト
１５  後ベルト
１６  前ウエスト上端縁
１７  後ウエスト上端縁
１８  前ウエスト下端縁
１９  後ウエスト下端縁
２０  前ベルトの側縁部
２１  後ベルトの側縁部
２２  胴回り開口縁
２３  脚回り開口縁
２４  前シート材
２５  後シート材
２６  トップシート（第１シート部材）
２７  防漏シート（第２シート部材）
２８  バックシート
２９  シーム部
３０  ウエスト弾性部材
３１  側方延出部
３２  接合域
４１  吸収構造体
４２  吸収構造体の前端領域
４３  吸収構造体の後端領域
４４  延出部分
４５  吸収体側縁
４６  吸収コア
４７  体液吸収材
４８  透液性シート状部材
４９  コア非存在域
５１  コア両端部
５２  延出部分の縦方向末端部
６１  シャーシ
６２  内面シート
６３  外面シート
６４  前胴回り弾性部材
６５  後胴回り弾性部材
６６  脚回り弾性部材
６７  前ウエスト域の側縁
６８  後ウエスト域の側縁
Ｘ    横方向
Ｙ    縦方向
【図１】
2015119788.tif 000003
【図２】
2015119788.tif 000004
【図３】
2015119788.tif 000005
【図４】
2015119788.tif 000006
【図５】
2015119788.tif 000007
【図６】
2015119788.tif 000008
【図７】
2015119788.tif 000009
【手続補正書】
【提出日】平成27年3月18日(2015.3.18)
【手続補正１】
【補正対象書類名】明細書
【補正対象項目名】００１２
【補正方法】変更
【補正の内容】
【００１２】
図２は、図１のパンツ型おむつ１のシーム部２９における前後ベルト１４，１５の接合を解き、平面状に伸展したときのおむつ１の平面図である。図２に示すように、おむつ１の前ベルト１４と後ベルト１５は同形同大の矩形であり、縦方向Ｙに互いに離間して横方向Ｘに延びる。前ベルト１４と後ベルト１５はそれぞれ、横方向Ｘに互いに並行して延びる前ウエスト上端縁１６及び前ウエスト下端縁１８と、横方向Ｘに互いに並行して延びる後ウエスト上端縁１７及び後ウエスト下端縁１９と、縦方向Ｙに互いに並行して延びる前ベルト１４の一対の側縁部２０及び後ベルト１５の一対の側縁部２１とを有する。吸収構造体４１も矩形であり、縦方向Ｙ両端に位置する前端領域４２及び後端領域４３と、前端領域４２及び後端領域４３に交差して縦方向Ｙに延びる一対の吸収体側縁４５とを有する。吸収構造体４１の前端領域４２及び後端領域４３がそれぞれ前後ベルト１４，１５の横方向中央部に接合される。また、前後ベルト１４，１５の側縁部２０，２１に沿って一対のシーム部２９が縦方向Ｙに延び、この一対のシーム部２９において前後ベルト１４，１５の側縁部２０，２１の肌面どうしが向き合わされて、例えばヒートシール加工、超音波溶着などの公知の熱溶着手段によって接合される。これにより、前後ウエスト上端縁１６，１７によって胴回り開口縁２２が形成されるとともに、吸収構造体４１の一対の吸収体側縁４５と、前後ベルト１４，１５の前後ウエスト下端縁１８，１９とによって一対の脚回り開口縁２３が形成される（図１参照）。
【手続補正２】
【補正対象書類名】明細書
【補正対象項目名】００３７
【補正方法】変更
【補正の内容】
【００３７】
上記段落００３６に開示した着用物品に関する本発明は、少なくとも下記の実施の形態を含むことができる。該実施の形態は、分離して又は互いに組み合わせて採択することができる。
（１）吸収構造体は、前後ウエスト域の両方から前後ウエスト上端縁を越えて縦方向に延び出す延出部分を有する。
（２）吸収構造体において、前ウエスト域から延び出す延出部分の縦方向寸法が、後ウエスト域から延び出す延出部分の縦方向寸法と等しい。
（３）吸収構造体において、前ウエスト域から延び出す延出部分の縦方向寸法が、後ウエスト域から延び出す延出部分の縦方向寸法と異なる。
（４）吸収構造体の延出部分の少なくとも一部に、第１シート部材と第２シート部材との間に吸収コアが配置されていないコア非存在域を有する。
（５）吸収構造体が延出部分と交差して縦方向に延びる一対の吸収体側縁を有し、延出部分に、吸収体側縁のそれぞれに隣接するとともに横方向に互いに離間する少なくとも一対のコア非存在域が配置される。
（６）コア非存在域に含まれる第１及び第２シート部材どうしが互いに接合される。
（７）第１及び第２シート部材どうしが、吸収構造体のコア非存在域を横方向に延びる接合域において互いに接合される。
（８）延出部分の縦方向寸法が５ｍｍ以上である。
（９）延出部分の少なくとも非肌面に不織布が配置される。
（１０）前後ウエスト域のそれぞれに、横方向に延びるとともに縦方向に互いに離間する前ベルト及び後ベルトが含まれ、前後ベルトは横方向に延びる前後ウエスト上端縁を有し、股間域に縦方向に延びる吸収構造体が含まれ、吸収構造体の縦方向両端に位置する前端領域及び後端領域がそれぞれ前後ベルトの横方向中央部に接合されるとともに、前ベルトの側縁部と後ベルトの側縁部とが互いに接合されて前後ウエスト上端縁により胴回り開口縁が形成され、吸収構造体は、前後ベルトの少なくとも一方から前後ウエスト上端縁を越えて縦方向に延び出す延出部分を有する。
【手続補正３】
【補正対象書類名】特許請求の範囲
【補正対象項目名】請求項１１
【補正方法】変更
【補正の内容】
【請求項１１】
前記前後ウエスト域のそれぞれに、前記横方向に延びるとともに前記縦方向に互いに離間する前ベルト及び後ベルトが含まれ、
前記前後ベルトは前記横方向に延びる前記前後ウエスト上端縁を有し、
前記股間域に前記縦方向に延びる前記吸収構造体が含まれ、前記吸収構造体の前記縦方向両端に位置する前端領域及び後端領域がそれぞれ前記前後ベルトの横方向中央部に接合されるとともに、前記前ベルトの側縁部と前記後ベルトの側縁部とが互いに接合されて前記前後ウエスト上端縁により胴回り開口縁が形成され、
前記吸収構造体は、前記前後ベルトの少なくとも一方から前記前後ウエスト上端縁を越えて前記縦方向に延び出す前記延出部分を有する、請求項１から１０のいずれか１項に記載の着用物品。